Podtech/llm-jp-corpus-v4-ja_patent huggingface dataset:
(57)【要約】      （修正有）【課題】消費者が喜び、満足出来る商品（米袋）を提供し、且つ、製造・販売業者にとっても、増収・増益が見込める、新商法の子供写真付米袋を提供する。【解決手段】乳児及び乳幼児を含む子供の出産報告又は出産祝いのお返しに贈呈する米袋において、米袋は表面に出産時の子供の写真と、生年月日と、体重を表記した米袋本体と、米袋本体内に子供の出産時の体重に合わせた重量のお米を収納した子供写真付米袋である。【選択図】図２
0003135135.tif 000002
【実用新案登録請求の範囲】
【請求項１】
乳児及び乳幼児を含む子供の出産報告又は出産祝いのお返しに贈呈する米袋において、該米袋は表面に出産時の子供の写真（１ａ）と、生年月日（１ｂ）と、体重（１ｃ）を表記した米袋本体（１）と、該米袋本体内に子供の出産時の体重に合わせた重量のお米（２）を収納した事を特徴とする子供写真付米袋。
【考案の詳細な説明】
【技術分野】
【０００１】
この考案は、子供写真付米袋に関するものである。
【背景技術】
【０００２】
従来、お米は消費者が自分の味の好みや必要量に合わせて、米の銘柄や量目を選択して、電話やＦＡＸで注文するか、又は、販売店で直接購入するというのが、一般的である。
【０００３】
又、昨今では、米の自由化に伴い国内のみならず、外国のお米を含む様々な種類・銘柄・量目のお米が販売される様に成った。それだけに、農家の方やお米の製造・販売業者にとっては益々厳しい状況に成っているというのが現状である。
【０００４】
そこで、消費者が喜び、満足出来る商品（米袋）を提供し、且つ、製造・販売業者にとっても増収・増益が見込める新商法を見出す事が望まれている。
【０００５】
これまでに出願されている米袋に関する特許文献を参考の為、紹介する。（特許文献１〜２参照。）
【特許文献１】特開２００３−１９２０３４
【特許文献２】特開２００３−２２１０４４  上記、特許文献は何れも目的はほぼ同じであるが、特許文献１は米の調理方法、又は、料理メニューを米袋の表面に記載、或いは、米の調理方法、又は、料理メニューを記載した文書を米袋内に入れて、消費者が米食を容易に楽しむというものである。又、特許文献２は、米袋の表面に広告宣伝情報である、物品の写真や、型式や、メーカー名等を印刷して消費者に宣伝し、販売促進強化を図るもので、双方とも手段が全く異なっている。
【考案の開示】
【考案が解決しようとする課題】
【０００６】
そこで、上記課題を解決する為に、この考案は消費者が喜び、満足出来る商品（米袋）を提供し、且つ、製造・販売業者にとっても増収・増益が見込める新商法の子供写真付米袋を開発・提供する事にある。
【課題を解決するための手段】
【０００７】
この課題を解決する為の手段として、表面に出産時の子供の写真と、生年月日と、体重を表記した米袋本体と、該米袋本体内に子供の出産時の体重に合わせた重量のお米を収納したものである。
【考案の効果】
【０００８】
この考案の効果として、表面に出産時の子供の写真と、生年月日と、体重を表記した米袋本体と、該米袋本体内に子供の出産時の体重に合わせた重量のお米を収納した事で、消費者やお米を貰った人が喜び、満足出来る商品（米袋）を提供し、且つ、製造・販売業者にとっても増収・増益が見込める等、極めて有益なる効果を奏するものである。
【考案を実施するための最良の形態】
【０００９】
この考案の最良の形態として、お祝い事に贈呈する米袋である為、品質・味・食感等に優れたお米を使用し、米の重量、及び、袋の標記内容が一定していない為、特に、米の重量と表記内容のチェック（品質管理）体制の確立が重要となる。
【実施例１】
【００１０】
そこで、この考案の一実施例を図１〜図２に基づいて詳述すると、乳児及び乳幼児を含む子供の出産報告又は出産祝いのお返しに贈呈する米袋において、該米袋は表面に出産時の子供の写真（１ａ）と、生年月日（１ｂ）と、体重（１ｃ）を表記した米袋本体（１）と、該米袋本体内に子供の出産時の体重に合わせた重量のお米（２）を収納した事を特徴とする子供写真付米袋から構成される。
【００１１】
次に、この考案の詳細について説明すると、お米の販売業者がお客様から子供のプリント写真・名前・振り仮名・生年月日・生誕時の体重・お米の商品番号と商品名・必要数を郵送、或いは、パソコンからメールで送信して頂き、注文を受ける。すると、製造・販売業者は印刷会社に依頼するか、或いは、自社の印刷機により、例えば図１に示す様に、米袋本体（１）表面に、依頼のあった子供の説明文（このお米と同じ重さで生まれました。）（１ｅ）付写真（１ａ）と、自己紹介の挨拶文（はじめまして和也です。）（１ｄ）と、生年月日（２００７年６月１５日生まれ）（１ｂ）と、生誕時の体重（３，１００ｇ）（１ｃ）を記載したものである。但し、全体のレイアウトや、字体や、配色等は客先から要望が有れば、変更する事も可能である。又、当然ながら、お米の販売単価は、お米の収納重量に応じて変わってくる。
【００１２】
そして、完成した米袋本体（１）の中に注文を受けた商品番号の商品・銘柄のお米（２）を子供の体重と同じ重量分（３，１００ｇ）程入れ、最後に袋を閉じて完成する。
【００１３】
図２は米袋の中を表した、一部欠截正面図である。
【産業上の利用可能性】
【００１４】
この考案の子供写真付米袋は、消費者が喜び、満足出来る商品（米袋）を提供し、且つ、製造・販売業者にとっても増収・増益が見込める為、多くの米消費者及び米製造・販売業者等に寄与する点で産業上の利用可能性を有する。
【図面の簡単な説明】
【００１５】
【図１】この考案の一実施例を示し、正面図である。
【図２】この考案の一実施例を示し、米袋内部を示す一部欠截正面図である。
【符号の説明】
【００１６】
１  米袋本体
１ａ  子供の写真
１ｂ  生年月日
１ｃ  体重
１ｄ  挨拶文
１ｅ  説明文
２  お米
【図１】
0003135135.tif 000003
【図２】
0003135135.tif 000004
(57)【要約】【課題】ノズルを、内径の異なる複数の種類のピペットチップに対応することができるようにする。【解決手段】ノズル２の先端部に、内径の異なる複数種類のピペットチップ３に対応し得るように、軸方向に沿って且つ先端側が小径になるようにして外径寸法の異なる部分２Ａ、２Ｂを形成する。【選択図】図１
0003135155.tif 000002
【実用新案登録請求の範囲】
【請求項１】
ノズルの先端部にピペットチップを外嵌して保持する分注装置における分注ノズルにおいて、ノズルの先端部に、内径の異なる複数種類のピペットチップに対応し得るように、軸方向に沿って且つ先端側が小径になるようにして外径寸法の異なる部分を形成したことを特徴とする分注装置における分注ノズル。
【考案の詳細な説明】
【技術分野】
【０００１】
本考案は、分注装置における分注ノズルに関するものである。
【背景技術】
【０００２】
従来、種々の試験や測定を行うために分注装置が用いられており、そして該分注装置は、液体の吸引と吐出とを行うノズルの先端部に略筒状のピペットチップを外嵌して保持する分注ヘッドを備えている。
【０００３】
ところで、分注ヘッドのノズルの先端部に外嵌して保持するピペットチップには、内径の寸法の異なる複数の種類のものが存在する。
【０００４】
しかし乍ら、従来における分注ヘッドのノズルの先端部は、一つの種類のものにしか対応することができなかった。このため、内径の異なる違う種類のピペットチップを使用する必要が生じたときには、一旦現在の分注ノズル全体を取り外し、新たに用いようとするピペットチップに適合する径のノズルを設けた分注ノズルに取り替える必要がある。そしてまた、このように分注ノズルを交換するには、その度にポンプ等（図示せず。）と接続されたフレキシブルチューブＴを一々一本宛着脱しなければならず、多大な手間と時間を必要とする。
【考案の開示】
【考案が解決しようとする課題】
【０００５】
本考案は上記の点に鑑みなされたものであって、ノズルの先端部を、内径の異なる違う種類のピペットチップにも対応することができるようになし、もって上記問題点を解消することができるようになした分注ノズルを提供しようとするものである。
【課題を解決するための手段】
【０００６】
而して、本考案の要旨とするところは、ノズルの先端部にピペットチップを外嵌して保持する分注装置における分注ノズルにおいて、ノズルの先端部に、内径の異なる複数種類のピペットチップに対応し得るように、軸方向に沿って且つ先端側が小径になるようにして外径寸法の異なる部分を形成したことを特徴とする分注装置における分注ノズルにある。
【考案の効果】
【０００７】
本考案は上記の如き構成であるから、内径の異なる複数種類のピペットチップに対応することができるものである。したがって、内径の異なる違う種類のピペットチップを使用する必要が生じたときには、従来の如く一々分注ノズル全体を交換する必要がなく、単にピペットチップだけを取り替えるだけで済むものである。且つまた、各ノズルに接続されたフレキシブルチューブＴもそのままで済むから、これの着脱に要した多大な時間と手間を省くことができるものである。
【考案を実施するための最良の形態】
【０００８】
本考案を実施するための最良の形態は、ノズルの先端部に、内径の異なる複数種類のピペットチップに対応し得るように、軸方向に沿って且つ先端側が小径になるようにして外径寸法の異なる部分を形成したことにある。
【実施例】
【０００９】
以下、本考案の実施例について説明する。
図１は本考案の実施例に係る分注装置における分注ノズルの斜視図、図２は同平面図、図３は図２中Ｉ−Ｉ線断面図、図４は図２中ＩＩ−ＩＩ線断面図、図５はノズルの中央縦断面図、図６は図５中Ａ部分の拡大図である。
【００１０】
図中、１は分注装置における分注ノズルである。また、該分注ノズル１は、ヘッド１Ａに並べて保持した液体の吸引と吐出とを行うノズル２の先端部に略筒状のピペットチップ３を外嵌して保持するものである。また、該ノズル２の夫々は樹脂チューブ、ゴムチューブ等のフレキシブルチューブＴをもって図示しないポンプ等に接続されている。
【００１１】
而して、本考案において特徴とするところは、前記ノズル２の先端部に、内径の異なる複数種類のピペットチップ３に対応し得るように、軸方向に沿って且つ先端側が小径になるようにして外径寸法の異なる部分を形成したことにある。また、２Ａは先端側の小径の部分、２Ｂは大径の部分であり、夫々これに外嵌して保持するピペットチップの内径に適合する寸法としている。そしてまた、ピペットチップを外嵌する該小径の部分２Ａと大径の部分２Ｂに至る下側の部分には、ピペットチップの着脱を容易にするための斜面２Ａ′、２Ｂ′を形成している。
【００１２】
本実施例において内径の異なる違う種類のピペットチップを使用する必要が生じたときには、分注ヘッド１はそのままで、単にピペットチップ３を取り替えるだけで済むものである。
【図面の簡単な説明】
【００１３】
【図１】本考案の実施例に係る分注装置における分注ノズルの斜視図である。
【図２】図１に示した分注ノズルの平面図である。
【図３】図２中Ｉ−Ｉ線断面図である。
【図４】図２中ＩＩ−ＩＩ線断面図である。
【図５】ノズルの中央縦断面図である。
【図６】図５中Ａ部分の拡大図である。
【符号の説明】
【００１４】
１  分注ノズル
１Ａ  ヘッド
２  ノズル
２Ａ  ノズルの先端の小径の部分
２Ｂ  ノズルの先端の大径の部分
３  ピペットチップ
【図１】
0003135155.tif 000003
【図２】
0003135155.tif 000004
【図３】
0003135155.tif 000005
【図４】
0003135155.tif 000006
【図５】
0003135155.tif 000007
【図６】
0003135155.tif 000008
(57)【要約】【課題】    従来の工夫では座椅子に座ろうと、その上に敷かれた座布団の上に座った時、背もたれにもたれ掛かると、尻が滑り流れてしまった。【解決手段】    １の様な前方が高く後方に低く傾斜角度を持ったクッションを面状ファスナー４で座椅子２の座面３に貼付する。クッションにより座面の前方が高く傾斜するため背もたれにもたれ掛かっても、尻が滑りにくくなる。【選択図】図２
0003135116.tif 000002
【実用新案登録請求の範囲】
【請求項１】
座椅子の座面に面状ファスナーで貼付する、前方が高く後方に低い傾斜角度を持つ、尻滑り止めのクッション
【考案の詳細な説明】
【技術分野】
【０００１】  この考案は、座椅子に貼付されるクッションの形状に関する。
【背景技術】
【０００２】  従来の図１の様に座椅子２の防滑工夫は座面の中心部分を円形にカット６し、座面上に置いた座布団が滑らないようにしている。
【考案の開示】
【考案が解決しようとする課題】
【０００３】しかしながら、以上の技術によっても、座椅子の上の座布団に座ると座椅子と座布団とが滑り、尻が前方に流れるのを抑えることが出来ないことを課題とする。
【課題を解決するための手段】
【０００４】以上の課題を解決するため、第一考案は、座椅子に前方が高く後方に低い傾斜角度を持つ防滑用クッションを貼付することを特徴とするクッションである。
【考案の効果】
【０００５】第一考案によれば、座椅子に前方が高く後方に向かって低い傾斜のクッションを貼付することで、座椅子に座っても尻が滑り流れるのを防ぐ。
【考案を実施するための最良の形態】
【０００６】この考案の一実施形態を図２に示す
クッション１の内部はウレタンであり、表面は布かビニールレザーである。クッション１を座椅子２の座面３に置く。クッション１と座椅子２の両方に取り付けた面状ファスナー４によりしっかり貼付される。【０００７】座椅子２に貼付されたクッション１の上に座り、背もたれ５にもたれ掛かっても、尻が前に滑り流れることはない。
【図面の簡単な説明】
【０００８】
【図１】従来技術を示す斜視図
【図２】この考案の実施形態を示す斜視図
【符号の説明】
【０００９】１  クッション
２  座椅子
３  座椅子座面
４  面状ファスナー
５  座椅子背もたれ
６  円形にカットした部分
【図１】
0003135116.tif 000003
【図２】
0003135116.tif 000004
(57)【要約】      （修正有）【課題】短時間で反応硬化する液はミキサーを適応するのが困難であり、接着対象面の片方にＡ液、反対面にＢ液を塗布して後、両面を合わせて張り付けている。この場合Ａ，Ｂ液が接面できなかった箇所では硬化反応が生じないので何時までも液のままで残り、接着不良、液のはみ出し等の不具合があった。確実な混合状態を作り一液として接着面に供給し、接着不良を無くし、液の無駄を無くすミキサーを提供する。【解決手段】液体吐出装置より定量吐出した液を複数の管路に分岐し、この管路を他液の管路と交互に隣接するように配置して管路端で吐出する。【選択図】図１
0003135111.tif 000002
【実用新案登録請求の範囲】
【請求項１】
液体吐出装置の吐出口を複数の管路に分岐し、この管路の出口端を他液の管路と交互に隣接するように配置したことを特徴とするミキサー。
【請求項２】
請求項１のミキサーと、ダイナミックミキサーを連結したことを特徴とするミキサー。
【考案の詳細な説明】
【技術分野】
【０１】複数の液を攪拌したとき、短時間で反応硬化する液、例えばアクリル系接着剤等を液体吐出装置で液送しながら管路途中で混合するミキサーに関する。
【背景技術】
【０２】短時間で反応硬化する液はミキサーを適応するのが困難であり、接着対象面の片方にＡ液、反対面にＢ液を塗布して後、両面を合わせて張り付けている。この場合Ａ，Ｂ液が接面できなかった箇所では硬化反応が生じないので何時までも液のままで残り、接着不良、液のはみ出し等の不具合があった。【０３】反応硬化に多少の時間余裕のある液はミキサーを適応するが、混合後の使用可能時間内にミキサーから排出しなければならない。塗布しない時でも強制排出さし液の無駄がある。ミキサーの容量を小さくして対応すると充分な混合が得られない。
【発明が解決しようとする課題】
【０４】管路の吐出部で混合さし、管路内部での混合を行わない。
【０５】確実な混合状態を作り一液として接着面に供給し、接着不良を無くし、液の無駄を無くす。
【課題を解決するための手段】
【０６】液体吐出装置より定量吐出した液を複数の管路に分岐し、この管路を他液の管路と交互に隣接するように配置して管路端で吐出する。管路は擬似的に液の混合を成し、管路端で吐出したとき混合状態となる。管路の分岐数が多いほど混合状態が密になる。
【実施例１】
【０７】Ａ液定量吐出ポンプ１、Ｂ液定量吐出ポンプ２の吐出口に夫々４分岐さす分岐ノズル３，４を装着する。分岐ノズル３，４の吐出側に分岐チューブ５，６を差し込み装着する。分岐チューブ５，６は全部で８本となる。吐出ノズル７は導入側に差込管８を円周状に８本設置している。差込管８に分岐チューブ５，６を差し込む。この時分岐チューブ５，６が交互になる様に差し込み配列する。【０８】Ａ液定量吐出ポンプ１、Ｂ液定量吐出ポンプ２より液体を一定比率で吐出すると分岐ノズル３，４で夫々４方に分岐して流れ、吐出ノズル７から出る時は８本の束の混合状態になって吐出する。
【効果】
【０９】可動部が全く無く、簡単な機構で軽い混合が出来る。管路内での混合がないので管路内での硬化がなく、液の無駄を無くせる。一液として接着面に供給でき、接着不良を無くせる。
【１０】分岐ノズル３，４の分岐数が多いほど混合状態が密になる。
【実施例２】
【１１】エポキシ樹脂等さらなる混合度が要求される場合、ダイナミックミキサーが使用されるが、このダイナミックミキサーの入り口に実施例１の方法である程度の混合を図ると、ダイナミックミキサーでの混合動作が軽減でき、ダイナミックミキサーの容積、回転数を小さくできる。【１２】Ａ液定量吐出ポンプ１１、Ｂ液定量吐出ポンプ１２の吐出口に夫々導液チューブ１３，１４を連結し、終端に実施例１のミキサー９を連結する。ミキサー９の出口にダイナミックミキサー１５を連結する。【１３】Ａ液定量吐出ポンプ１１、Ｂ液定量吐出ポンプ１２より液体を一定比率で吐出すると、ミキサー９の出口で予備混合が行われ、さらにダイナミックミキサー１５で充分な混合を行い吐出ノズル１６より液を吐出する。
【効果】
【１４】ミキサー９の出口で予備混合できるのでダイナミックミキサー１５での混合動作が軽減でき、ダイナミックミキサー１５の容積、回転数を小さくできる。回転数を小さくできると温度上昇を抑えられ、硬化促進を遅くしポットライフを長く出来る。
【１５】ミキサー９の洗浄はほとんど必要でなく、保守が容易である。
【図面の簡単な説明】
【１６】
【図１】  実施例１の略図  Ｂ液の分岐チューブ６は点線で描画している。
【図２】  実施例２の略図
【符号の説明】
【０４７】１：Ａ液定量吐出ポンプ    ２：Ｂ液定量吐出ポンプ    ３：分岐ノズル    ４：分岐ノズル    ５：分岐チューブ    ６：分岐チューブ    ７：吐出ノズル    ９：ミキサー    １５：ダイナミックミキサー
【図１】
0003135111.tif 000003
【図２】
0003135111.tif 000004
(57)【要約】      （修正有）【課題】照明器具・電力・バッテリーを必要としないので、既存の照明器具のように部品交換の必要がなく、電気工事代・電力代を必要とせずコスト削減効果が期待できる。また、蓄光機能により暗がりでも長時間発光するので、停電やバッテリー切れを心配することなく、安全避難誘導が長時間保たれ、人があせらず・おちついて行動でき、精神安定効果をも提供できる。【解決手段】標示基板２の前面に光を透過させるために、光透過孔３を穿設し、蓄光材４を塗着し、さらに、紋様５を貼着、蓄光材を通路側に使用した場合は蓄光面保護材・特殊蓄光面保護材を固着し、既存の非常口標示板と交換する。【選択図】図１
0003135114.tif 000002
【実用新案登録請求の範囲】
【請求項１】
標示基板に光透過孔を穿設するとともに、蓄光材を塗着し、紋様を貼着し、蓄光面保護材を固着することを特徴とする省エネ非常口標示板。
【考案の詳細な説明】
【技術分野】
【０００１】  本考案は、光透過孔が穿設された標示基板に、蓄光材を塗着した省エネ非常口標示板に関するものである。
【背景技術】
【０００２】  ビル・地下街・地下鉄構内等において、非常口標示板は電力を利用したものや、バッテリー等を搭載・内蔵している照明器具の全面に、ペイントを塗布した透明板をはめ込んで使用されていた。
【考案の開示】
【考案が解決しようとする課題】
【０００３】  背景技術で述べた前者においては、設置時には電気工事代が必要であり、設置後も電気代が必要であるという欠点を有していた。さらに、前者・後者とも照明器具を必要とし、定期的に照明灯具の部品交換や、電力源が遮断されると機能が果たされないという欠点を有していた。
【課題を解決するための手段】
【０００４】  本考案は、光を透過する素材を使用した標示基板を使用しているが、蓄光材を光源側に使用したときは、蓄光材の輝度をさらに高めるための光透過孔を設け、反対に蓄光材を通路側に使用したときは、蓄光材を保護するために蓄光面保護材を固着させることにより問題点を解決している。
【考案の効果】
【０００５】  上述のように、本考案の省エネ非常口標示板は、照明器具・電力・バッテリーを必要としないので、既存の照明器具のように部品交換の必要がなく、電気工事代・電力代を必要とせずコスト削減効果が期待できる。また、蓄光機能により暗がりでも長時間発光するので、停電やバッテリー切れを心配することなく、安全避難誘導が長時間保たれ、人があせらず・おちついて行動でき、精神安定効果をも提供できる。
【考案の実施するための最良の形態】
【０００６】  標示基板には、光が透過可能な透明又は、白紙に穴を開けるかもしくは、蓄光材を透明フィルム等の基板に直接塗布した素材を使用しているが、蓄光材の輝度をさらに高めるために、微細な光透過孔をその全面に設けることにより、貼着された紋様が浮き出るようになる。また、上述の［０００４］に記載したように蓄光材を通路側に使用することも想定される。このときは蓄光材を保護するために蓄光面保護材を固着する。ここで使用される蓄光面保護材も、光が透過可能な透明又は半透明の素材が使用される。このようにして製造された省エネ非常口標示板が、既存の非常口標示板と交換されるか、あるいは新規に設置される。
【実施例】
【０００７】  以下、添付図面に従って一実施例を説明する。１は既存の非常口標示板、２は標示基板であり、厚さ３ｍｍ〜６ｍｍ程度を有する透明又は半透明のプラスチック板を用い、微細な３の光透過孔が板全面に成形機にて成形されている。４は蓄光材であり、２の標示基板に厚さ２ｍｍ〜４ｍｍ程度に塗着されている。さらに、５は紋様で厚さ１ｍｍ〜２ｍｍのプラスチック板を切り抜き、２の標示基板に貼着されている。【０００８】  蓄光材が、通路側に塗着された場合は、厚さ２ｍｍ〜５ｍｍ程度を有する透明プラスチック板６ａの蓄光面保護材、あるいは凸レンズ状に加工されたプラスチック系板６ｂの特殊蓄光面保護材が固着される。【０００９】  ６ａ・６ｂの蓄光面保護材は、フィルム系やガラス系を使用してもよい。【００１０】  また、６ａ・６ｂの蓄光面保護材は、従来利用されているソーラーパネルの集光技術を取り入れる方法もある。【００１１】  ６ｂは、乱反射させる必要性がある場合に使用する特殊蓄光面保護材であり、凸レンズのように、集光性を高めるような素材を使用し成形されている。
【図面の簡単な説明】
【００１２】
【図１】  既存の非常口標示板、本考案の省エネ非常口標示板の斜視図である。
【図２】  省エネ非常口標示板の断面図である。
【図３】  標示基板、蓄光材、蓄光面保護材の断面図である。
【図４】  特殊蓄光面保護材の斜視図である。
【符号の説明】
１．既存の非常口標示板
２．標示基板
３．光透過孔
４．蓄光材
５．紋様
６ａ．蓄光面保護材
６ｂ．特殊蓄光面保護材
【図１】
0003135114.tif 000003
【図２】
0003135114.tif 000004
【図３】
0003135114.tif 000005
【図４】
0003135114.tif 000006
(57)【要約】      （修正有） 【課題】回転刃式は動作が滑らかで静かだが、多数の回転刃を固定するには回転直径が大きくなり複雑構造で耐久性能が劣り製作は難しく高価になる。【解決手段】回転円筒外周に彫られた台形断面溝内部に、Ｌ字型断面の長方形薄刃を台形両隅に接触させて横から装てんすることにより精度良く安定的に固定され、外刃への適当圧力を造り出し、強度と剃り味を向上、ネジ止め、鋲止め、埋め込み、溶接等の複雑構造をなくした。【選択図】図１
0003135178.tif 000002
【実用新案登録請求の範囲】
【請求項１】
円筒の外周回転軸方向に台形断面の溝を数条彫り、内部にＬ字型断面の長方形薄刃を底辺両隅に接触させ装てん、多孔面を持つ外部固定の半円形断面外刃と回転接触させて髭を剃る回転刃構造。
【考案の詳細な説明】
【技術分野】
【０００１】
本考案は、髭剃り機の回転刃構造に関するものである。
【背景技術】
【０００２】
髭剃り方法は大別して振動刃接触と回転刃接触がある。
【考案の開示】
【考案が解決しようとする課題】
【０００３】
振動刃式は十分な振幅がとり難く刃の劣化が早く強い振動と騒音が欠点である。回転刃式は滑らかで騒音少なく剃り味も良いが、狭い場所で多くの回転刃を取り付けるから回転直径が大きくなり構造複雑で性能に問題が多く高価となる欠点がある。
【課題を解決するための手段】
【０００４】
図１に示すように  円筒の外周回転軸方向に台形断面の溝を数条彫り、内部にＬ字型断面の長方形薄刃を底辺両隅に接触させ装てん、多孔面を持つ外部固定の半円形断面外刃と回転接触させて髭を剃る回転刃構造の髭剃り機。
【考案の効果】
【０００５】
回転刃を回転円筒に固定するにはネジ止め、鋲止め、埋め込み、溶接等の方法があるが狭い場所での複雑構造から円筒直径も大きくなり問題が多い。
本考案はＬ字型断面の長方形薄刃を回転円筒外周に彫られた数条の台形断面溝内部に横から装てんするだけで底辺両隅に引っかかり精度良く円筒に装着される。長方形薄刃は外刃との回転接触圧力に適応した刃先角度で設定する。折り曲げにより薄刃の強度は増し円筒直径を小さく作れて剃り性能が向上する。剃り髭たまり場空間は広く動作確実、簡素構造で量産に適す。
【実施例】
【０００６】
図１に示す回転円筒に回転力が伝わり、回転刃と多孔面をもつ外部固定外刃の半円形回転接触面で髭が剃られる。
【図面の簡単な説明】
【０００７】
【図１】回転刃一個の断面構造図。
【符号の説明】
【０００８】
１  回転円筒外周の台形断面溝。
２  台形断面溝内部に装てんされたＬ字型断面をもつ長方形回転薄刃。
３  回転薄刃に接触した半円形断面の多孔面を持つ外部固定外刃。
４  回転円筒中心軸。
５  剃り髭たまり場空間。
【図１】
0003135178.tif 000003
(57)【要約】【課題】  スティック状の分包用包装袋に充填された内容物を口の小さい容器であっても容易に移し換え得ること。【解決手段】  長尺のフィルムの長辺方向の両側端部を融着により背貼り６して筒状に形成し、少なくとも一端部を逆Ｌ字形に融着した融着部３により封じて袋部４を形成し、逆Ｌ字形の融着部３の２辺の先端を結ぶ切裂線５を表示したスティック状の分包用包装袋１である。開封する際には、表示された切裂線５に沿って切り裂いて、融着部３を折り曲げたのち、幅を狭めるように両側から切口を指で軽く摘むと、斜めに開口した開口部33を形成することができる。【選択図】    図１
0003135179.tif 000002
【実用新案登録請求の範囲】
【請求項１】
長尺のフィルムの長辺方向の両側部を融着により背貼りして筒状に形成し、少なくとも一端部を逆Ｌ字形に融着した融着部により封じて袋部を形成し、上記逆Ｌ字形の融着部の２辺の先端を結ぶ切裂線を表示したことを特徴とするスティック状の分包用包装袋。
【考案の詳細な説明】
【技術分野】
【０００１】
この考案は、長尺フィルム包装材に縦シール部と横シール部を形成して、薬剤、嗜好品、調味料、その他の食品などの顆粒または粉末（以下、内容物という）を充填するスティック状の分包用包装袋に関し、充填されている内容物を口の小さい容器へ容易に移し換え得るように構成したものである。
【背景技術】
【０００２】
従来のスティック状の分包用包装袋は、ポリエチレンテレフタレートフィルム、アルミニウム箔、ポリエチレンフィルム、紙等を積層させた長尺のたラミネートフィルム、または、単層のポリエチレンフィルム、ビニールフィルム等の長尺のたフィルムを用いて、図３に示すように、長辺方向の両側端部を融着により背貼り６して筒状に形成し、長手方向の両端を一定幅だけ融着した融着部２により封じて袋部４を形成し、この袋部４に内容物を充填している。
【０００３】
スティック状の分包用包装袋を用いて内容物を包装する場合には、開封すると内容物が吸湿したり変質することがあるので、開封後には全量を使い切るように１回分の分量の内容物を充填している。
【０００４】
このように内容物を充填した分包用包装袋においては、両端の融着部２の近傍を切り裂いて開封し、１回で使い切れなかった場合や、複数回に分けて使用する場合には、残余の内容物を入れた分包用包装袋の切り裂いた部分を折り畳んで保存していた。
【特許文献１】特開２００５−２７１９７４号公報
【考案の開示】
【考案が解決しようとする課題】
【０００５】
従来のスティック状の分包用包装袋においては、開封後に全量を使い切ることが前提であって、内容物を他の容器に移し換えて、複数回に分けて使うことについては考慮させていなかった。
【０００６】
そこで、この考案のスティック状の分包用包装袋は、充填された内容物を口の小さい容器であっても容易に移し換えること目的として考えられたものである。
【課題を解決するための手段】
【０００７】
この考案のスティック状の分包用包装袋１は、長尺のフィルムの長辺方向の両側端部を融着により背貼り６して筒状に形成し、少なくとも一端部を逆Ｌ字形に融着した融着部３により封じて袋部４を形成し、上記逆Ｌ字形の融着部３の２辺の先端を結ぶ切裂線５を表示したものである。
【考案の効果】
【０００８】
この考案のスティック状の分包用包装袋によると、充填された内容物を口の小さい容器に移し換える際に溢すことなく容易に移し換えることができる。また、内容物を丈夫な容器に移し換えて携帯すると、スティック状の分包用包装袋のような不用意な破損の心配をすることはないのである。
【考案を実施するための最良の形態】
【０００９】
図１に示すように、この考案のスティック状の分包用包装袋１は、ポリエチレンテレフタレートフィルム、アルミニウム箔、ポリエチレンフィルム、紙等を積層させた長尺のたラミネートフィルム、または、単層のポリエチレンフィルム、ビニールフィルム等の長尺のたフィルムを用いて、長辺方向の両側端部を融着により背貼り６して筒状に形成し、長手方向の一端部を、逆Ｌ字形に融着した融着部３によって封じ、逆Ｌ字形の融着部３の２辺の先端を結ぶように切裂線５を表示し、他端部を一定幅だけ融着した融着部２により封じて袋部４を形成したものである。
【００１０】
図２に示すように、開封する際には、表示された切裂線５に沿って切り裂いて、融着部３と袋部４との境界31に沿って折り曲げ、さらに、線32に沿って折り曲げたのち、幅を狭めるように両側から切口を指で軽く摘むと、図２の斜視図に示すように、斜めに開口した開口部33を形成することができる。
【００１１】
この斜めに開口した開口部33を容器７の口71に挿し込んで、分包用包装袋１を傾けると、充填されている内容物を溢すことなく容器７に移し換え得ることができる。このとき、折り曲げた部分は、容器の口71の周縁に当接して斜めの開口部33を位置決めすることができる。
【図面の簡単な説明】
【００１２】
【図１】この考案のスティック状の分包用包装袋の実施形態を示す正面図（ａ）、背面図（ｂ）、側面図（ｃ）、底面図（ｄ）である。
【図２】この考案のスティック状の分包用包装袋の使用状態をを示す斜視図である。
【図３】従来の分包用包装袋の一例を示す正面図（ａ）、背面図（ｂ）、側面図（ｃ）、底面図（ｄ）である。
【符号の説明】
【００１３】
１  スティック状の分包用包装袋
２  融着部
３  逆Ｌ字形の融着部
４  袋部
５  切裂線
６  背貼り
７  容器
【図１】
0003135179.tif 000003
【図２】
0003135179.tif 000004
【図３】
0003135179.tif 000005
(57)【要約】      （修正有）【課題】一枚もの形状で、且つＪＩＳ規格寸法の名刺範囲内では表記が難しい情報をさらに多く盛り込む事が出来、受取側へ強い印象を残す事が出来る複数折り名刺を提供する。【解決手段】複数の折り目部分から成る折り畳み機能を加えた名刺で、折り畳まれるとＪＩＳ規格に規定の一般的名刺サイズになる。例えば巻き４つ折り畳みの場合はＪＩＳ規格に規定の一般的名刺サイズと比べ４倍の情報量が盛り込めると同時に通常は一般名刺サイズで使用でき、名刺の受取相手へより強く働き掛けおよび宣伝が可能である。会社案内を盛り込めば会社案内付き名刺として、自社商品や自社取扱商品の解説を加えれば商品カタログ付き名刺として、店舗の場合はクーポン券等を付加すれば販促および集客効果の高さが期待出来る名刺となる。【選択図】図４
0003135127.tif 000002
【実用新案登録請求の範囲】
【請求項１】
複数の折り目部分から成る折り畳み機能を盛り込んでいる複数折り名刺。
【請求項２】
前記折り目部分にミシン目加工を施して切り離しも出来る事を特徴とする請求項１記載の複数折り名刺。
【考案の詳細な説明】
【技術分野】
【０００１】本考案は複数折り名刺に関する、例えば４つ折りの場合はＪＩＳ規格に規定の９１ｍｍ×５５ｍｍの通常一般的名刺サイズと比較して、４倍の情報量を盛り込む事が出来る。また立体的な形状機能が盛り込まれている為に名刺の交換相手および受取側に対して、より強い印象を与える事が出来る形状および機能である。
【背景技術】
【０００２】通常の一般的名刺は９１ｍｍ×５５ｍｍとＪＩＳ規格に規定されており、一般的な一枚形状名刺では情報の提供および反映範囲は両面のみである。
【考案の開示】
【考案が解決しようとする課題】
【０００３】ＪＩＳ規格に規定の一般的名刺サイズ且つ一枚もの名刺形状は、表面と裏面の限られた寸法および範囲しか無い為に配布者側が伝えたい情報全部を盛り込む事が出来ない場合も充分に考えられると同時に一枚もの用紙では一般的な形状で有る為に、自分の渡した名刺が他の交換相手および受取側へ強い印象を残す事が難しいという問題点があった。
本考案は、上記問題点に鑑み、より強い印象を与える事が出来る形状の名刺を提供する事を目的とする。
【課題を解決するための手段】
【０００４】本考案は上記目的を達成する為に、複数折り畳み機能を盛り込んでいる複数折り名刺を提供するものである。具体的には、前記折り目部分にミシン目加工を施して切り離しも出来る事を特徴とする請求項１記載の複数折り名刺である。
【考案の効果】
【０００５】本考案はＪＩＳ規格に規定の一般的名刺サイズと比べての情報量が多く盛り込める事が特徴で例えば４つ折りの場合は４倍の情報が盛り込める事から、名刺の交換相手もしくは受取側に対して、より多く情報および宣伝や販売促進、働き掛けおよび訴え掛けが可能となる。例えば会社紹介内容を盛り込めば会社案内付き名刺として、自社商品や自社取扱商品、自社販売商品および解説等を加えれば商品カタログ付き名刺として、また店舗の場合はクーポン券を付加すれば販売促進および更に集客効果を高める事が出来る名刺となる訳である。また本名刺は折り畳み式である為、折り畳まれた状態ではＪＩＳ規格に規定の一般的名刺サイズと同一であり、市販品の名刺入れにも全く問題なく納まる寸法となっている。さらに用紙を４枚重ねた厚みが有る為、名刺の交換相手もしくは受取側が名刺入れに収納して保管した際にも、見つけ易く且つ探し易い状態の形状となっている。
【考案の実施するための最良の状態】
【０００６】複数折り名刺に関する、例えば４つ折り名刺は、巻き４つ折り加工として使う事を基本形式とする。巻き４つ折りとするのは常に折り畳んだ通常サイズとして使用する際、長い辺の方に折り目が来るようにすれば、渡す方も受け取る方でも双方の名刺入れから出し入れし易い様になるからである。
【実施例】
【０００７】このＪＩＳ規格に規定の一般的名刺サイズを基本寸法として、表４面分と裏４面分の合計８面分に盛り込みたい情報および内容を加味して両面印刷を行う。その後、先出０００６にて説明の様に、巻き４つ折りに仕上げ加工を施す。【０００８】主に店舗で使用する名刺の場合でクーポン券もしくはサービス券としての内容を盛り込む場合は、巻き４つ折りに加えて切り離しミシン目入れ加工も同時に施す。この様な加工を併せて行う事により、切り離しの際も刃物は不要で安全かつ迅速に出来る。また切り離し後の用紙を管理および集計する場合も、大きさが均一に揃う為に取り扱いが楽に出来る。なお、ミシン目入れ加工を施す場合は巻き４つ折りを行う前、つまり折り箇所に対して先に加工を施して入れておく。【０００９】本名刺は図１の全面に広げた状態を最初の形として長い辺から見て、先ず図２の様に面Ｂと面Ｃ間の中央部分を中心に２つ折りする。次に図３の様に、図２で折られたものの長い辺を中心に更に２つ折りを行い図４の様になり完成。この際の折り方は先出の０００６でも触れた通りに、仕上がり状態は折る前と比較した時は必ず巻き４つ折りとなっている事とする。
【図面の簡単な説明】
【００１０】
【図１】本考案の実施形態の４つ折り名刺を全面に広げた状態の複数折り名刺。
【図２】本実施形態の全面に広げたものを中央部分で２つに折った状態の複数折り名刺。
【図３】図２で折られたものを、さらに２つに折った状態の複数折り名刺。
【図４】本実施形態の完成時の形および本名刺の通常状態を示す複数折り名刺。
【符号の説明】
【００１１】Ａ  紙の面
Ｂ  紙の面
Ｃ  紙の面
Ｄ  紙の面
【図１】
0003135127.tif 000003
【図２】
0003135127.tif 000004
【図３】
0003135127.tif 000005
【図４】
0003135127.tif 000006
(57)【要約】      （修正有）【課題】一般家庭における高・老齢者等が日常的に感じている爪先・足首・膝部分に対する夜具の負担や圧迫感を完全に解消するため、当該部位の局所的な寝具空間の提供。【解決手段】コーナーＹ繋ぎの受口２箇所にエルボを固着したパイプを嵌合して基台とし、その基台二組を繋ぐ１本のパイプで夜具を支え、その夜具の弛みによって局所的な寝具空間を確保する足・膝ガード器具である。また、コーナーＹ繋ぎを上部にしてエルボを固着したパイプ２本を斜めに嵌合した基台の場合には、足専用として利用する山形の器具になり、コーナーＹ繋ぎを底辺にして底辺に２本、縦軸に１本のエルボを固着したパイプを嵌合した基台の場合には、膝専用として利用する立柱型の器具になる。【選択図】図１
0003135121.tif 000002
【実用新案登録請求の範囲】
【請求項１】
コーナーＹ繋ぎの受口２箇所にエルボを固着したパイプを嵌合して基台とし、その基台二組を繋ぐ１本のパイプで夜具を支える足・膝ガード器具。
【考案の詳細な説明】
【技術分野】
【０００１】  本考案は一般家庭における就寝時の爪先・足首・膝に対する夜具の負担や圧迫感を完全に解消するための器具に関するものである。
【背景技術】
【０００２】  従来から複数本の半円形上のアーチ型鋼鉄棒や庇棒で夜具を支え下半身全体を覆う離被架器具はあった。しかし、これは病院における入院治療等のために発明されたものであり、一般家庭の就寝時に使用する器具としては大き過ぎて取扱も不便であり、保管場所にも困惑するものであった。また、庇棒で夜具を支える特許文献１の場合では、庇支え用柱一個所としているが補強柱も設置して庇を支え、その庇に夜具を被せる離被架器具であり、一般家庭で使用する場合には庇自体が支障となる。
【特許文献１】特開２００６−８７７６２
【考案の開示】
【考案が解決しようとする課題】
【０００３】  一般家庭における高・老齢者等が、日常的に感じている爪先・足首・膝部分に対する夜具の負担や圧迫感を完全に解消するため、入院治療等に必要な下半身全体の寝具空間とは異なる当該部位の局所的な寝具空間の提供と簡便な器具の提供を課題としている。
【課題を解決するための手段】
【０００４】  本考案は、コーナーＹ繋ぎの受口２箇所にエルボを固着したパイプを嵌合して基台とし、その基台二組を繋ぐ１本のパイプで夜具を支える足・膝ガード器具であり、その夜具の弛みによって爪先・足首又は膝部分の局所的な寝具空間を確保した。また、コーナーＹ繋ぎを上部にしてそれにエルボを固着したパイプ２本を斜めに嵌合した基台の場合には、足専用として利用する山型の器具になり、コーナーＹ繋ぎを底辺にして底辺に２本、縦軸に１本のエルボを固着したパイプを嵌合した基台の場合には、膝専用として利用する立柱型の器具になる。さらに本考案はパイプ、コーナーＹ繋ぎ、エルボ及びソケットの組合せだけの器具構成であるので、不可変の固定器具にできるほか、山型や立柱型に器具形態が変化する着脱自在な組立式の器具にすることもできる。
【考案の効果】
【０００５】  本考案は、１本のパイプで夜具の弛みによる局所的な寝具空間を確保し、その空間に爪先・足首・膝部分を置くことによって、夜具の負担や圧迫感を完全に解消することができる。また、利用者が足・膝のいずれかを希望する場合は不可変の固定器具を、足・膝双方を希望する場合は組立式器具を選択することができる。さらに器具をＬ字型にたたみ押入の夜具の隙間に差込むと夜具の崩れ防止柵となり保管場所も全く取らず簡単に格納することができる。なお、山型の器具の場合は夜具を支えるパイプに足を乗せると指圧効果も得られる。
【実施例１】
【０００６】  以下、添付図面に従って一実施例を説明する。図１及び図４は本考案の山型の器具並びに立柱型の器具本体の斜視図、図２及び図５は山型の器具並びに立柱型の器具本体の側面図、図３及び図６は山型の器具並びに立柱型の器具本体の平面図と使用状況である。図１においてコーナーＹ繋ぎ１を上部にして、その受口にエルボを固着したパイプ４とエルボを固着した軸パイプ５を斜めに嵌合した部材二組を基台とし、残りのコーナーＹ繋ぎ１の受口に１本の夜具を支えるパイプ７を嵌合すると、縦横の圧力にも強い安定した山型の器具となり、パイプ７に疲れた足を乗せると指圧効果も得られる足専用のガード器具になる。この器具は、前方の軸パイプ５を後方のパイプ４よりも短くしたので前方の軸パイプ５が立ち上がり脚部動作の自由度を高めることができた。また、基台となるパイプ４及び軸パイプ５の着床部のエルボはマット等を痛めない防護足となるほか、軸パイプ５のエルボ２に嵌合した底辺パイプ６のエルボ鍵手部分をマット等の淵に掛けて器具の横ずれを防止することができる。
【実施例２】
【０００７】  図４において、コーナーＹ繋ぎ１を底辺にして、エルボを固着したパイプ４とエルボを固着した底辺パイプ６を嵌合した部材二組を基台とし、その基台の縦軸にエルボを固着した軸パイプ５を嵌合すると軸パイプ５のエルボ２が受口となり、これに夜具を支えるパイプ７を嵌合すると立柱型の器具になる。この器具は縦軸が左右の一箇所だけで周囲に自由動作を妨げるものがなく、膝周りに広さを必要とする膝専用の器具として最適である。【０００８】  図１及び図４において、山型の器具と立柱型の器具には、それぞれ不可変の固定器具と着脱自在に器具形態を変化させ山型や立柱型の器具にする組立式器具の二種類がある。このうち組立式器具について、山型の器具を立柱型の器具に組替える場合は、山型の器具における二組のコーナーＹ繋ぎ１を上部から底辺に置換え、エルボを固着した軸パイプ５を夜具を支えるパイプ７と入れ替え、その軸パイプ５のエルボ２にパイプ７を嵌合するとともに、その底辺にエルボを固着した底辺パイプ６を嵌合するだけで簡単に立柱型の器具になる。この場合、エルボを固着したパイプ４が自動的に基台の一部となり、マット等の淵にそのエルボの鍵手部分を掛けて器具を安定させることができる。【０００９】  図１及び図４において、夜具を支えるパイプ７にソケット３を固着した補助パイプ８を嵌合すると器具の拡幅ができる。また、起床時に器具を保管する場合には、エルボを固着した底辺パイプ６を回転させて器具をＬ字型にたたみ、押入に積み重ねた夜具の隙間にエルボを固着したパイプ４を差込むと夜具の崩れ防止柵となり、保管場所を全く取らず簡単に格納することができる。
【図面の簡単な説明】
【００１０】
【図１】山型の器具本体の斜視図である。
【図２】山型の器具本体の側面図である。
【図３】山型の器具本体の平面図と使用状況である。
【図４】立柱型の器具本体の斜視図である。
【図５】立柱型の器具本体の側面図である。
【図６】立柱型の器具本体の平面図と使用状況である。
【符号の説明】
【００１１】１  コーナーＹ繋ぎ
２  エルボ
３  ソケット
４  エルボを固着したパイプ
５  エルボを固着した軸パイプ
６  エルボを固着した底辺パイプ
７  夜具を支えるパイプ
８  ソケットを固着した補助パイプ
【図１】
0003135121.tif 000003
【図２】
0003135121.tif 000004
【図３】
0003135121.tif 000005
【図４】
0003135121.tif 000006
【図５】
0003135121.tif 000007
【図６】
0003135121.tif 000008
(57)【要約】      （修正有）【課題】自動二輪車のハンドルバーの取付位置の調整及びその取付角度の調整を任意に、かつ容易に行うことが出来る、ハンドル支持装置の取付機構及び位置調整機能を提供する。【解決手段】自動二輪車のハンドル支持装置について、取付部品Ａと、取付部品Ｂを螺止めすることでハンドルバーを固定し、取付部品Ａと取付部品Ｂに取付部品Ｃを任意の角度でボルトにより締め付ける。必要に応じ取付部品Ｄを上下どちらの方向でも取付部品Ｃとボルトで締着することにより、ハンドル位置の調整を可能にするものである。【選択図】図１
0003135126.tif 000002
【実用新案登録請求の範囲】
【請求項１】
自動二輪車のフレームヘッドパイプに設けられたステアリングシャフトとフロントフォークとの間に介在するブラケットに操舵用のハンドルバーをハンドルバーホルダーで固定しかつ支持する自動二輪車のハンドルバー支持構造において、取付部品Ａと、取付部品Ｂと、取付部品Ｃと上下任意の方向に取り付け可能な取付部品Ｄから構成され、取付部品Ａと取付部品Ｂにハンドルバーを挟んで取付部品Ｃと螺合しそのまま前記ブラケットに螺合するか、取付部品Ｄを上下任意の方向に取付部品Ｃおよびブラケットに螺合することにより、ハンドル位置を３通りに変移可能にしたことを特徴とする自動二輪車のハンドルバー支持構造。
【請求項２】
請求項１のハンドルバーであって、中心から楕円形に長穴を設けた取付部品Ｂと取付備品Ｃとで構成され、取付部品Ｂと取付部品Ｃを任意の位置で螺合することにより、取付部品ＢおよびＣの中心軸から回転移動可能にしたことを特徴とするハンドルバー支持構造
【考案の詳細な説明】
【考案の詳細な説明】
【技術分野】
【０００１】本考案は自動二輪車の搭乗者がハンドル操作をするハンドルバーを固定するハンドル支持構造に関し、詳しくはハンドルバーの位置を調整することができる自動二輪車のハンドルバー支持装置に関する。
【背景技術】
【０００２】  一般に、自動二輪車において、当該二輪車の操舵を行うためのステアリング系では、フロントフォークにホイールが取り付けられており、運転者がハンドルバーを回転操作することにより、ステアリングシャフトを中心にフロントフォークおよびホイールがほぼ水平方向に回転し操舵できるようになっている。【０００３】  一般的なハンドルバーの支持構造は、上下に分割された二組のハンドルホルダーにハンドルバーを挟み込んで、ボルト締めして、前記ブラケットにボルト締めすることにより固定される。この方法によれば、搭乗者の体格がそれぞれ異なるにもかかわらずハンドルを操舵する位置が固定されてしまうので、搭乗者が快適な姿勢で乗車できないという不具合があり、長時間運転での疲れを助長する可能性がある。また女性の搭乗者の増加を背景として、上記の問題点が顕著である。【０００４】  また運転者が選択するハンドルバーの形状によっては、従来のハンドルバー支持装置ではライザーの角度調節ができず、取付できないこともあり、選択の幅が狭められていた。
【考案の開示】
【考案が解決しようとする課題】
【０００５】この考案は、前記のハンドル位置の調整の要請にこたえることを目的とし、ハンドルバーの支持機構及び取付位置の調整機構を工夫することをその課題とするものである。
【課題を解決するための手段】
【０００６】前記課題を解決するために講じた本考案の手段は、自動二輪車のハンドル支持装置について、取付部品Ａと、取付部品Ｂを螺止めすることでハンドルバーを固定し、取付部品Ａと取付部品Ｂに取付部品Ｃを任意の角度でボルトにより締め付ける。必要に応じ取付部品Ｄを上下どちらの方向でも取付部品Ｃとボルトで締着することにより、ハンドル位置の調整を可能にするものである。
【考案の効果】
【０００７】取付部品Ｂに中心軸から同じ距離の箇所に楕円形でスライド溝を設け、ハンドルバーの形状に応じ調整可能にする。また全長に対して７対３で角度をつけた取付部品Ｄを上下任意の方向で取付部品Ｃに螺子止めするか、または取付部品Ｄを用いず取付部品Ｃを直接前記ブラケットに螺子止めする方法により、３通りのハンドル位置が得られる。
【実施例】
【０００８】次にこの考案の添付図面により、詳細に説明する。図１は、ハンドル支持装置の組立図であり、図２は取付部品Ａの分解図、図３は取付部品Ｂの分解図、図４は取付部品Ｄの分解図であり、図５が実施例を示すものである。【０００９】図２に示す取付部品Ａと図３に示す取付部品Ｂ及び取付部品Ｃをボルトにより締付け、図１の状態が標準的な取付方法に該当する。図５−１は取付部品Ｄを付けずにそのままブラケットにボルト止めする方法を示し、図５−２は取付部品Ｄを全長に対し３の長さで曲げられた部分を下にして取り付けた方法であり、ハンドル位置が搭乗者側に近づけることができる。図５−３は取付部品Ｄを全長に対し７長さで曲げられた部分を下にして取り付けた方法を示す。
【図面の簡単な説明】
【００１０】
【図１】ハンドルバー支持装置の組立図
【図２】取付部品Ａの上面図、側面図
【図３】取付部品Ｂの上面図、側面図
【図４】取付部品Ｄの側面図
【図５】５−１  取付部品ＡおよびＢ、Ｃのみでブラケットにボルト止めする取付方法  ５−２  取付部品Ｄを全長に対し１０分の３の長さで曲げられた方を下にして取付ける方法  ５−３  取付部品Ｄを全長に対し１０分の７の長さで曲げられた方を下にして取付ける方法
【図１】
0003135126.tif 000003
【図２】
0003135126.tif 000004
【図３】
0003135126.tif 000005
【図４】
0003135126.tif 000006
【図５】
0003135126.tif 000007
(57)【要約】【課題】尿瓶の本体に凸起片を穿設して蓋本体には凸起片を挿入するガイド溝を設けることにより誰にでも簡単に開閉することができ、且つ、機密性のある尿瓶を提供する。【解決手段】尿瓶本体に凸起片を設けるとともに、蓋部にガイド溝を設けることにより開閉が簡単である。【選択図】図１
0003135123.tif 000002
【実用新案登録請求の範囲】
【請求項１】
尿瓶器口の内周部に左右対称に突起片を設ける尿瓶において、蓋筒部の端部から逆Ｌ字型のガイド溝を斜め上方に向け左右対称にそれぞれ逆方向に穿設し蓋裏の縁周に沿って復帰性のパッキンを備えた尿瓶係止蓋。
【考案の詳細な説明】
【技術分野】
【０００１】  この考案は、尿瓶の蓋を着脱自在にしたことに関する。
【技術背景】
【０００２】  従来の尿瓶の器口を被覆する方法としては器口に螺施を設け蓋をする方法、また器口に軟質素材で成形したキャップで覆うもの、また器口の内周部に密着させるじょうごを篏入する方法が開示されている。（実公昭５９−３４３９７号、実公昭４３−１８３９９号）
【考案が解決しようとする課題】
【０００３】  一方、夜頻繁に尿意を催す人或いは病人等にとっては、尿意を催したとき素早く対応できる尿瓶が要求される。しかし従来の尿瓶は取扱が意外に複雑であることが解った。
それは尿瓶の開閉が意外に上記の人達にとっては面倒で、蓋が完全に密封されずに起こる尿の漏れなどによる汚れの後始末が必要であった。
【問題を解決するための手段】
【０００４】  この考案は上記実情に鑑み、尿瓶の蓋体を尿器本体に着脱を容易にして、蓋体と尿瓶本体の係止を機密にさせた尿瓶を提供するものである。
【０００５】  即ち、この考案は蓋筒状部の端部から外周に斜め上方に向けてＬ字型のガイド溝が左右対称にそれぞれ逆方向に穿設してある。
【０００６】  さらに蓋裏の縁に沿って機密性を得る手段として復帰性を有する肉厚でゴムのリング状のパッキンが装着してある。
【０００７】  また、尿瓶本体の器口近くの内周には左右対称に２個所に凸起片が設けてある。
【０００８】  なお、この凸起片は先端を丸めて蓋の筒部に設けたガイド溝に容易に篏合し、ガイド溝を移動し易くしている。
【考案の効果】
【０００９】  以上要するに、この考案によれば蓋を装着するときは蓋筒部に設けたガイド溝の入口を器口の凸起片に合わせて右に摺動回転させればガイド溝は傾斜にパッキンを押圧しながら進行するので蓋部と尿瓶本体が機密に圧着される。
【００１０】  また蓋を開ける時は軽く押圧しながら反対方向に回転させれば容易に開けることができる。
【産業上の利用可能性】
【００１１】  以上要するに、尿意を催した時、この尿瓶は誰にでも容易に取扱が出来る。
【図面の簡単な説明】
【００１２】
【図１】この考案に係わる尿瓶の蓋を装着した状態の斜視図
【図２】蓋のガイド溝に凸起片が装着され蓋裏部にパッキンが装着された状態
【図３】尿瓶器口に設けられた凸起片の側面
【符号の説明】
【００１３】１は尿瓶本体
２は蓋体の裏縁に装着したパッキン
３は本体に設けた凸起片
【図１】
0003135123.tif 000003
【図２】
0003135123.tif 000004
【図３】
0003135123.tif 000005